(57)【要約】揚荷装置１００は、粉粒体運搬船１に設けられ、粉粒体等の貨物を垂直方向に移送するバケットエレベータ１１０と、ホールド２の底部中央２ｃに船体前後方向に貫通するように配置されると共にバケットエレベータ１１０と接続され、粉粒体等の貨物をバケットエレベータ１１０の下端側に向かって水平方向に移送するフローコンベヤ１２０と、ホールド２の底部２ａに底部中央２ｃに向けて傾斜するように配置され、ホールド２内の粉粒体をフローコンベヤ１２０に向けて移送するエアスライダ１４０とを備える。粉粒体運搬船１は、水密な複数のホールド２を備え、これらフローコンベヤ１２０及びエアスライダ１４０の接続部には、接続部を水密に閉塞可能な水密抜出ゲート１３０がそれぞれ設けられている
2013132579.tif 000002
【特許請求の範囲】
【請求項１】
粉粒体を複数に区画された船倉内に積載して運搬する粉粒体運搬船に設置され、前記船倉内から前記粉粒体を荷揚する揚荷装置であって、
隔壁により内部が水密となるように区画された前記船倉内から搬出された粉粒体を垂直方向に移送する垂直移送手段と、
前記船倉の底部中央に前記粉粒体運搬船の船体前後方向に貫通するように配置されると共に前記垂直移送手段と接続され、前記船倉内の粉粒体を前記垂直移送手段の下端側に向けて水平方向に移送する水平移送手段と、
前記船倉の底部に前記底部中央に向けて傾斜するように配置され、前記船倉内の粉粒体を前記水平移送手段に向けて移送する船倉内移送手段とを備え、
前記水平移送手段及び前記船倉内移送手段の接続部は、水密手段により閉塞可能に接続されている
ことを特徴とする揚荷装置。
【請求項２】
前記垂直移送手段は、縦型スクリューコンベヤ又は縦型バケットエレベータからなり、
前記水平移送手段は、フローコンベヤからなり、
前記船倉内移送手段は、エアスライダからなる
ことを特徴とする請求項１記載の揚荷装置。
【発明の詳細な説明】
【技術分野】
【０００１】
この発明は、セメント、フライアッシュ、炭酸カルシウム（タンカル）、スラグ、クリンカー等の無機材の粉粒体の貨物や、穀物等を含む有機材の粉粒体の貨物を搬送する粉粒体運搬船に適用可能な揚荷装置に関する。
【背景技術】
【０００２】
セメント、フライアッシュ、タンカル、スラグ、クリンカーや穀物等の粉粒体の貨物を運搬する貨物運搬船として、例えば下記特許文献１に開示されている粉体輸送船が知られている。この粉体輸送船は、船底構造として、複数に区画された船倉内の底部中央の粉体導入路に向けて布材を備えた傾斜部を有し、この布材の底部から圧縮空気を吹き出すことで流体の流動性を確保し粉体導入路に搬送する構造を備えている。【０００３】
圧縮空気によって粉体導入路に導かれた粉体は、粉体導入路に設けられた搬送コンベヤによって船体の前後方向に搬送され、垂直移送手段でセラーポンプまで搬送された上で揚荷される。これらのことから、この粉体輸送船は、区画された船倉、その船底構造や粉体導入路、搬送コンベヤなどにより構成された揚荷装置を有するといえる。
【先行技術文献】
【特許文献】
【０００４】
【特許文献１】特開２００２−３５６１９４号公報
【発明の概要】
【発明が解決しようとする課題】
【０００５】
しかしながら、上記特許文献１に開示された従来技術の粉体輸送船では、揚荷装置を構成する粉体導入路が、複数の船倉を連通して船体の前後方向に延びる構造である。このため、損傷時復原性（ダメージスタビリティ：ＤＳ）が良好でないという問題がある。【０００６】
すなわち、例えば複数の船倉のうちの少なくとも１つに海水が浸入して浸水すると、粉体導入路を介して各船倉に海水が到達してしまい、全ての船倉が浸水してしまうので、船倉内に積み込んだ粉体が製品として扱えなくなると共に、損傷時復原性が良好でない。【０００７】
この発明は、上述した従来技術による問題点を解消し、損傷時復原性が良好で、且つ船倉から粉粒体を安定的に揚荷することができる揚荷装置を提供することを目的とする。
【課題を解決するための手段】
【０００８】
本発明に係る揚荷装置は、粉粒体を複数に区画された船倉内に積載して運搬する粉粒体運搬船に設置され、前記船倉内から前記粉粒体を荷揚する揚荷装置であって、隔壁により内部が水密となるように区画された前記船倉内から搬出された粉粒体を垂直方向に移送する垂直移送手段と、前記船倉の底部中央に前記粉粒体運搬船の船体前後方向に貫通するように配置されると共に前記垂直移送手段と接続され、前記船倉内の粉粒体を前記垂直移送手段の下端側に向けて水平方向に移送する水平移送手段と、前記船倉の底部に前記底部中央に向けて傾斜するように配置され、前記船倉内の粉粒体を前記水平移送手段に向けて移送する船倉内移送手段とを備え、前記水平移送手段及び前記船倉内移送手段の接続部は、水密手段により閉塞可能に接続されていることを特徴とする。【０００９】
本発明の一実施形態においては、前記垂直移送手段が、縦型スクリューコンベヤ又は縦型バケットエレベータからなり、前記水平移送手段が、フローコンベヤからなり、前記船倉内移送手段が、エアスライダからなる。
【発明の効果】
【００１０】
本発明によれば、損傷時復原性が良好で、且つ船倉から粉粒体を安定的に揚荷することができる。
【図面の簡単な説明】
【００１１】
【図１】本発明の一実施形態に係る揚荷装置を適用した粉粒体運搬船の構造を示す側方断面図である。
【図２】同揚荷装置を適用した粉粒体運搬船の構造を示す上方平面図である。
【図３】同揚荷装置を適用した粉粒体運搬船の構造を示す幅方向断面図である。
【図４】同揚荷装置を適用した粉粒体運搬船の構造を示す幅方向拡大断面図である。
【図５】本発明の他の実施形態に係る揚荷装置を適用した粉粒体運搬船の構造を示す一部拡大断面図である。
【発明を実施するための形態】
【００１２】
以下、添付の図面を参照して、この発明の実施の形態に係る揚荷装置を詳細に説明する。
【００１３】
図１は、本発明の一実施形態に係る揚荷装置を適用した粉粒体運搬船の構造を示す側方断面図である。また、図２は、この揚荷装置を適用した粉粒体運搬船の構造を示す上方平面図である。図３は、この粉粒体運搬船の幅方向断面図、図４はその拡大断面図である。
【００１４】
図１〜図４に示すように、揚荷装置１００は、粉粒体運搬船１に設けられている。揚荷装置１００は、例えば粉粒体運搬船１の船倉であるホールド２内に積載されたセメント、フライアッシュ、炭酸カルシウム（タンカル）、スラグ、クリンカー等の無機材の粉粒体や、穀物等を含む有機材の粉粒体等の貨物を垂直方向に移送する垂直移送手段のバケットエレベータ１１０を備える。
【００１５】
また、揚荷装置１００は、ホールド２の底部中央２ｃに粉粒体運搬船の船体前後方向に貫通するように配置されると共にバケットエレベータ１１０と接続され、粉粒体等の貨物をバケットエレベータ１１０の下端側に向かって水平方向に移送する水平移送手段のフローコンベヤ１２０を備える。
【００１６】
更に、揚荷装置１００は、ホールド２の底部２ａに底部中央２ｃに向けて傾斜するように配置され、ホールド２内の粉粒体をフローコンベヤ１２０に向けて移送する船倉内移送手段のエアスライダ１４０を備える。そして、これらフローコンベヤ１２０及びエアスライダ１４０の接続部には、接続部を水密に閉塞可能な水密抜出ゲート１３０がそれぞれ設けられている。
【００１７】
ここで、粉粒体運搬船１は、本例では船底を構成する船殻底板３の上に配置されたバラストタンク４と、このバラストタンク４の上板であるホールド２の底板４ａとを備え、船首部６と船尾部７との間に、例えば船体前後方向に４つ、及び船体幅方向に２つずつ区画された８つのホールド２を備えている。これらホールド２は、隔壁２ｂにより船体の前後方向及び幅方向に水密状態で区画されている。
【００１８】
粉粒体運搬船１の積込装置は、例えばホールド２内に積載する貨物（積荷）を陸上から粉粒体運搬船１に受け入れる受入エアスライド１５０を介して接続された中央分配タンク１５２と、この中央分配タンク１５２に接続された分配エアスライド１５３と、この分配エアスライド１５３から分岐するホールド積込部１５４などを備えて構成されている。
【００１９】
中央分配タンク１５２は、船体の前後方向のほぼ中央に配置されている。分配エアスライド１５３は、中央分配タンク１５２から船首部６の方向及び船尾部７の方向に延び、且つ中央分配タンク１５２側からこれらの方向に傾斜して下がるように４つ設けられ、各ホールド２の上部に設けられたホールド積込部１５４と中央分配タンク１５２とを連結する。
【００２０】
分配エアスライド１５３に連結されたホールド積込部１５４は、各ホールド２に対して設けられており、ホールド積込部１５４と分配エアスライド１５３との間に設けられたゲート１５５の開操作により、セメント等の粉粒体がホールド積込部１５４直下のホールド２内に落下し、積み込まれる。この際、粉粒体は流動化した状態でホールド２内に落下するので、積載表面はほぼ水平化される。
【００２１】
なお、中央分配タンク１５２や分配エアスライド１５３等の構造は公知であるため、ここでは詳細な説明は省略するが、エアスライドは、例えばダクト内に傾斜したキャンバスを配置し、このキャンバスの下方から空気を供給して粉粒体を流動化させつつ移動させるものである。
【００２２】
一方、図３に示すように、粉粒体運搬船１の揚荷装置１００は、上述したようなホールド２の底板４ａの上に設けられたエアスライダ取付底板５の上方に設けられた船倉内移送手段のホールド用のエアスライダ１４０と、各ホールド２の底部中央２ｃに設けられ、エアスライダ１４０によりホールド２内を船体の幅方向に水平方向に移送されてきた粉粒体を、船体の前後方向に移送するフローコンベヤ１２０と、例えばフローコンベヤ１２０の船首部６側の端部と接続され、その下端側からフローコンベヤ１２０により移送されてきた粉粒体を垂直方向に移送するバケットエレベータ１１０とを備える。
【００２３】
また、揚荷装置１００は、バケットエレベータ１１０の近傍において、例えば船体の幅方向に複数配置されたセラーポンプ１６０と、これらセラーポンプ１６０とバケットエレベータ１１０の上端側とを接続するセラーポンプ１６０への送り管１６１と、セラーポンプ１６０内の粉粒体を揚荷するための輸送管（揚荷管）１６２とを備えて構成されている。
【００２４】
エアスライダ取付底板５は、ホールド２内からの粉粒体の漏れや底板４ａ側からの海水の浸入等がないように、水密構造でホールド２の底部２ａの全面に設置されている。エアスライダ１４０は、底板４ａとエアスライダ取付底板５との間の空間部に配置された、空気配管１４９や図示しない複数の空気供給弁（エアスライダ弁）を備えて構成されている。
【００２５】
空気配管１４９から供給される空気は、空気供給弁を介してエアスライダ１４０のエアスライダボックス１４８内に供給され、エアスライダキャンバス１４７を通してホールド２内に吹き出される。また、空気は、空気供給弁の少なくとも一部に接続された複数のエアレーション弁を介してホールド２内に供給される。エアレーション弁は、ホールド２内のエアレーション圧力を調整するためのものである。
【００２６】
なお、フローコンベヤ１２０とエアスライダ１４０との接続部には、エアスライダ１４０からの粉粒体をフローコンベヤ１２０に抜き出すための水密手段である水密抜出ゲート１３０が配置されている。水密抜出ゲート１３０は、電動式又は空動式のシリンダを有するナイフゲートバルブやバタフライバルブ等により構成されている。
【００２７】
エアスライダ１４０は、ホールド２の船体側面側の隔壁２ｂ側から水密抜出ゲート１３０の方へ僅かに傾斜して下がるように配置されているので、流動化されたホールド２内の粉粒体を水密抜出ゲート１３０の方向へ移送させる。水密抜出ゲート１３０は、図示しない自動制御装置又は手動制御装置により閉操作されることで、ホールド２内のエアスライダ１４０とフローコンベヤ１２０との接続部を水密に閉塞する。これにより、各ホールド２はそれぞれ水密に区画される。
【００２８】
このように構成された本実施形態に係る揚荷装置１００は、フローコンベヤ１２０によって各ホールド２が船体の前後方向に連通されていても、水密抜出ゲート１３０によりフローコンベヤ１２０とエアスライダ１４０とを水密にすることができる。従って、ホールド２のいずれかに海水が浸入しても、水密抜出ゲート１３０を閉操作することにより他のホールド２内への浸水を防ぐことができる。これにより、損傷時復原性を向上させることができる。また、フローコンベヤ１２０、エアスライダ１４０及びバケットエレベータ１１０等は既存の構造のものを利用して、水密抜出ゲート１３０のみを新規に設置するだけで揚荷装置１００を実現することができるので、安価に構成することができる。
【００２９】
なお、バケットエレベータ１１０の代わりに、縦型スクリューコンベヤ等の垂直移送手段を採用したり、フローコンベヤ１２０としてチェーンコンベヤや横型スクリューコンベヤ等を採用することも可能である。また、水密抜出ゲート１３０をその開度に応じて粉粒体のフローコンベヤ１２０への流量を調整する流量調整弁として動作させたり、エアスライダ１４０のエアレーションを制御してこの流量を調整したりすることも可能である。
【００３０】
また、本実施形態に係る揚荷装置１００によれば、水密抜出ゲート１３０の構造をナイフゲートバルブ等の既存の水密手段により構成し、ゲートの開口形状を矩形状、円形状など種々の形状で構成することができるので、フローコンベヤ１２０とエアスライダ１４０との接続部分にこれらの接続のためのデッドスペースが不要となり、より簡単な構造で損傷時復原性を向上させる揚荷装置１００を実現することができる。
【００３１】
図５は、本発明の他の実施形態に係る揚荷装置を適用した粉粒体運搬船の構造を示す一部拡大断面図である。図５に示すように、揚荷装置１００Ａは、バケットエレベータ１１０とフローコンベヤ１２０との接続部に、更に水密抜出ゲート１３０が備えられている点が、先の実施形態に係る揚荷装置１００と相違している。
【００３２】
このような構成により、各ホールド２の部分と船首部６とを水密状態に区画して、損傷時復原性を良好にすることができる。なお、この場合は、フローコンベヤ１２０とエアスライダ１４０との接続部に水密抜出ゲート１３０を設けなくてもよいが、より好適には各ホールド２を水密状態に区画できる構成がよい。
【符号の説明】
【００３３】
１          粉粒体運搬船
２          船倉（ホールド）
２ａ        底部
２ｂ        隔壁
３          船殻底板
４          バラストタンク
４ａ        底板
５          エアスライダ取付底板
６          船首部
７          船尾部
１００      揚荷装置
１１０      バケットエレベータ
１２０      フローコンベヤ
１３０      抜出ゲート
１４０      エアスライダ
【図１】
2013132579.tif 000003
【図２】
2013132579.tif 000004
【図３】
2013132579.tif 000005
【図４】
2013132579.tif 000006
【図５】
2013132579.tif 000007
【国際調査報告】
2013132579.tif 000008
2013132579.tif 000009